【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】  ブリストー法によるインク吸収性試験でのインク転移量が０．０１〜１０ｍｌ／ｍ2の被転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、インクジェット記録時に被転写媒体を加熱していることを特徴とするインクジェット記録方法。
【請求項２】  基材上に少なくとも転写層を有してなる中間転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、インクジェット記録時に該中間転写媒体を加熱していることを特徴とするインクジェット記録方法。
【請求項３】  基材上に少なくとも転写層を有してなる中間転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、該転写層内及び該転写層上の少なくともいずれかに、実質的に不揮発成分のみが残留し、該被転写媒体に再転写されることを特徴とする請求項１又は２記載のインクジェット記録方法。
【請求項４】  基材上に少なくとも転写層を有してなる中間転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、インクジェット記録時に中間転写媒体を加熱していることを特徴とするインクジェット記録方法であって、該インクジェット記録が複数色のインクを用いたカラーインクジェット記録方法であり、かつ単位時間当たりの印字密度に併せて、出力条件及び乾燥条件の少なくともいずれかを切り替え記録することを特徴とする請求項１〜３のいずれか１項記載のインクジェット記録方法。
【請求項５】  基材上に少なくとも転写層を有してなる中間転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、インクジェット記録時に中間転写媒体を加熱していることを特徴とするインクジェット記録方法であって、該インクジェット記録が複数色のインクを用いたカラーインクジェット記録方法であり、かつ中間転写媒体上でのドット径が、２．５４０ｃｍ／出力解像度（ｄｐｉ）×√２が±２０％となる様に出力条件及び乾燥条件の少なくともいずれかを設定することを特徴とする請求項１〜４のいずれか１項記載のインクジェット記録方法。
但し、ｄｐｉは２．５４０ｃｍ当たりのドット数を表す。
【請求項６】  インクジェット記録時の中間転写媒体の表面温度が６０〜１５０℃であることを特徴とする請求項１〜５のいずれか１項記載のインクジェット記録方法。
【請求項７】  水溶性有機溶剤の含有量が３０〜６５質量％であることを特徴とする請求項１〜６のいずれか１項記載のインクジェット記録方法。
【請求項８】  インクが熱可塑性樹脂粒子を含有することを特徴とする請求項１〜７のいずれか１項記載のインクジェット記録方法。
【請求項９】  着色剤が分散粒子であることを特徴とする請求項１〜８のいずれか１項記載のインクジェット記録方法。
【請求項１０】  着色剤が樹脂コートされていることを特徴とする請求項１〜９のいずれか１項記載のインクジェット記録方法。
【請求項１１】  中間転写媒体の転写層の付量が０．０５〜５０ｇ／ｍ2であることを特徴とする請求項２〜１０のいずれか１項記載のインクジェット記録方法。
【請求項１２】  中間転写媒体が基材と転写層の間に離型層を有することを特徴とする請求項２〜１１のいずれか１項記載のインクジェット記録方法。
【請求項１３】  中間転写媒体が厚さ１〜１００μｍの熱変形層を有することを特徴とする請求項２〜１２のいずれか１項記載のインクジェット記録方法。
【請求項１４】  被転写媒体が印刷用紙であることを特徴とする請求項２〜１３のいずれか１項記載のインクジェット記録方法。
【請求項１５】  中間転写媒体が基材と転写層の間に溶剤吸収層を有することを特徴とする請求項２〜１４のいずれか１項記載のインクジェット記録方法。
【請求項１６】  転写層が多孔質であることを特徴とする請求項２〜１５のいずれか１項記載のインクジェット記録方法。
【請求項１７】  転写層が熱可塑性樹脂粒子を含有することを特徴とする請求項２〜１６のいずれか１項記載のインクジェット記録方法。
【請求項１８】  インクジェット記録が、少なくとも２色のインクを１×１０-7〜０．３秒で重ねて付与すると共に、１つのインクの印字密度が５．５〜２０．０ｎｌ／ｍｍ2であることを特徴とする請求項１〜１７のいずれか１項記載のインクジェット記録方法。
【手続補正２】
【補正対象書類名】明細書
【補正対象項目名】００２０
【補正方法】変更
【補正の内容】
【００２０】
本発明を更に詳しく説明する。請求項１の発明は、ブリストー法によるインク吸収性試験におけるインク転移量が０．０１〜１０ｍｌ／ｍ2の被転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、インクジェット記録時に被転写媒体を加熱するインクジェット記録方法を開示している。この発明によれば、従来用いることの出来なかったアート紙、コート紙のような表面を親油化処理されている被記録媒体に対しても、解像度低下／色混じりを生じる事無く記録が出来る。ブリストー法とは、液体吸収性試験（詳細はＪ．ＴＡＰＰＩ紙パルプ試験方法Ｎｏ．５１参照）において、ヘッドボックスに８０μｌのインクを添加して求めた吸収時間８０ｍｓｅｃ．の時の液体転移量を言う。
【手続補正３】
【補正対象書類名】明細書
【補正対象項目名】００２２
【補正方法】変更
【補正の内容】
【００２２】
請求項３の発明は、基材上に少なくとも転写層を有してなる中間転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、転写層内及び／又は転写層上に実質的に不揮発成分のみが残留し、被転写媒体に再転写されることを特徴とする請求項１又は２記載のインクジェット記録方法を開示している。これによれば、上記のような被転写媒体上に良好に転写できるばかりか、転写後の画像保存性が著しく向上する。
【手続補正４】
【補正対象書類名】明細書
【補正対象項目名】００２３
【補正方法】変更
【補正の内容】
【００２３】
請求項４の発明は、基材上に少なくとも転写層を有してなる中間転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、インクジェット記録時に中間転写媒体を加熱していることを特徴とするインクジェット記録方法であって、該インクジェット記録が複数色のインクを用いたカラーインクジェット記録方法であり、かつ単位時間当たりの印字密度に併せて、出力条件及び／又は乾燥条件を切り替え記録することを特徴とする請求項１〜３のいずれか１項記載のインクジェット記録方法を開示している。これによればユーザー要望に応じ、画質／解像度を選択でき、選択した全てのモードで同等の転写性・品質および転写後の画像保存性を確保でき、実用上非常に重要である。
【手続補正５】
【補正対象書類名】明細書
【補正対象項目名】００２４
【補正方法】変更
【補正の内容】
【００２４】
請求項５の発明は、基材上に少なくとも転写層を有してなる中間転写媒体に、少なくとも水、水溶性有機溶剤及び着色剤を含有してなるインクをインクジェット記録方法で吐出して画像形成し、該画像を転写層と共に被転写媒体に再転写するインクジェット記録方法に於いて、インクジェット記録時に中間転写媒体を加熱していることを特徴とするインクジェット記録方法であって、該インクジェット記録が複数色のインクを用いたカラーインクジェット記録方法であり、かつ中間転写媒体上でのドット径が、２．５４０ｃｍ／出力解像度（ｄｐｉ）×√２が±２０％（ｄｐｉは２．５４０ｃｍ当たりのドット数を表す）となる様に出力条件及び／又は乾燥条件を設定することを特徴とする請求項１〜４のいずれか１項記載のインクジェット記録方法を開示している。これによれば、被転写媒体上でのバンディング、文字品質を良好にする事が可能であり、画像保存性と品質／画質の両立に不可欠である。